(57)【要約】情報を提供するための方法及び装置が提供される。本願では、クライアント装置は、第１のユーザーインタフェースを提供してよく、第１のユーザーインタフェースは、イベント表示領域及びカレンダ表示領域を備える。方法は、旅行目的地を入手し、検索期間を決定し、旅行目的地及び検索期間に従って、検索期間内に旅行目的地で発生するイベントを取得し、第１のユーザーインタフェースを表示し、第１のユーザーインタフェースのイベント表示領域に取得したイベントについての情報を表示し、検索期間に関係するカレンダを、カレンダ表示領域に表示する、クライアントデバイスを含む。本願では、イベントに基づいて旅行計画を決定するための次元が追加され、これによりユーザーは、適切な旅行計画を便利に決定し得、ネットワークトラフィックを節約し得、このようにして端末の電力消費及びサーバのリソースオーバヘッドが節約され得る。
2019537131.tif 000002
【特許請求の範囲】
【請求項１】
情報提供方法であって、
イベント表示領域及びカレンダ表示領域を含む第１のユーザーインタフェースを提供することと、
旅行目的地を入手し、検索期間を決定することと、
前記旅行目的地及び前記検索期間に従って、前記検索期間に前記旅行目的地で発生するイベントを取得することと、
前記第１のユーザーインタフェースを表示することであって、前記イベントについての情報が、前記第１のユーザーインタフェースの前記イベント表示領域に表示され、前記検索期間に関係するカレンダが、前記第１のユーザーインタフェースの前記カレンダ表示領域に表示される、ことと
を含む方法。
【請求項２】
旅行目的地入力領域を備える第２のユーザーインタフェースを提供することをさらに含み、
前記旅行目的地を入手し、前記検索期間を決定することが、
前記第２のユーザーインタフェースを表示することと、
前記第２のユーザーインタフェースの前記旅行目的地入力領域の入力動作に従って前記旅行目的地を入手し、前記検索期間を決定することと
を含む、請求項１に記載の方法。
【請求項３】
前記検索期間を決定することが、
現在のシステム時間に従って前記検索期間の検索開始日を決定し、前記決定した検索開始日及びデフォルトの検索時間長さに従って、前記検索期間の検索終了日を決定すること
を含む、または
前記第２のユーザーインタフェースが、検索開始日入力領域をさらに備え、前記検索期間を前記決定することが、前記検索開始日入力領域の入力動作に従って前記検索期間の前記検索開始日を入手することと、前記決定した検索開始日及びデフォルトの検索時間長さに従って前記検索期間の検索終了日を決定することとを含む、または
前記第２のユーザーインタフェースが、検索終了日入力領域をさらに備え、前記検索期間を前記決定することが、前記現在のシステム時間に従って前記検索期間の前記検索開始日を決定することと、前記検索終了日入力領域の入力動作に従って前記検索期間の前記検索終了日を入手することとを含む、または
前記第２のユーザーインタフェースが、検索開始日入力領域及び検索終了日入力領域をさらに備え、前記検索期間を前記決定することが、前記検索開始日入力領域の入力動作に従って前記検索期間の前記検索開始日を入手することと、前記検索終了日入力領域の入力動作に従って前記検索期間の前記検索終了日を入手することを含む、
請求項２に記載の方法。
【請求項４】
前記旅行目的地及び前記検索期間に従って、前記検索期間に前記旅行目的地で発生する前記イベントを取得することが、
前記検索期間に前記旅行目的地で発生する前記イベントについての情報を入手するために、前記旅行目的地及び前記検索期間に従って事前設定情報を問い合わせすることを含み、前記事前設定情報が、Ｎ個の場所で発生するイベント及び前記イベントの発生時間を含み、Ｎが１以上の整数である、請求項１に記載の方法。
【請求項５】
前記旅行目的地及び前記検索期間に従って、前記検索期間に前記旅行目的地で発生する前記イベントを取得することが、
サーバにイベント取得要求を送信することであって、前記イベント取得要求が、前記旅行目的地についての情報及び前記検索期間についての情報を含む、ことと、
前記イベント取得要求に従って前記サーバによって送信されたイベント取得応答を受信することであって、前記イベント取得応答が、前記旅行目的地及び前記検索期間に従って前記サーバによって取得された、前記検索期間に前記旅行目的地で発生する前記イベントについての情報を含む、ことと
を含む、請求項１に記載の方法。
【請求項６】
前記旅行目的地及び前記検索期間に従って、前記検索期間に前記旅行目的地で発生する前記イベントを取得することが、
前記検索期間に前記旅行目的地で発生する第１の種類のイベントについての情報を入手するために、前記旅行目的地及び前記検索期間に従って事前設定情報を問い合わせることであって、前記事前設定情報が、Ｎ個の旅行目的地で発生する第１の種類のイベント及び前記第１の種類のイベントの発生時間を含み、Ｎが１以上の整数である、ことと、
サーバに前記旅行目的地についての情報及び前記検索期間についての情報を含むイベント取得要求を送信することと、前記イベント取得要求に従って前記サーバによって送信されるイベント取得応答であって、前記旅行目的地及び前記検索期間に従って前記サーバによって取得された、前記検索期間に前記旅行目的地で発生する第２の種類のイベントについての情報を含むイベント取得応答を受信することと、
前記第１の種類のイベントについての前記情報及び前記第２の種類のイベントについての前記情報に従って、前記検索期間に前記旅行目的地で発生する前記イベントについての情報を入手することと
を含む、請求項１に記載の方法。
【請求項７】
前記検索期間に前記旅行目的地で発生する前記イベントを前記取得した後に、前記方法が、ユーザー嗜好情報を取得することと、前記ユーザー嗜好情報に従って、前記検索期間に前記旅行目的地で発生する前記イベントをフィルタにかけることと、
前記第１のユーザーインタフェースが表示されるとき、前記第１のユーザーインタフェースの前記イベント表示領域に前記フィルタにかけられたイベントについての情報を表示することと
をさらに含む、請求項１〜６のいずれか１項に記載の方法。
【請求項８】
前記第１のユーザーインタフェースの前記イベント表示領域が、前記検索期間に前記旅行目的地で発生する前記イベントのテーマをラベルとともに表示するためのイベントラベル表示領域を備え、それぞれのイベントラベルが１つ以上のイベントに対応し、
前記第１のユーザーインタフェースを表示した後に、前記方法が、
選択したイベントラベルを入手するために、前記第１のユーザーインタフェースの前記イベントラベル表示領域で入力動作を受信することと、
前記選択したイベントラベルに従って、前記第１のユーザーインタフェースの前記カレンダ表示領域に対応するイベントの発生時間と関連付けられたカレンダを表示することと、
前記カレンダ上で前記対応するイベントの発生日をプロンプトで出す、または前記対応するイベントの前記発生日に従って前記カレンダに推薦される旅行日を表示することと
をさらに含む、請求項１〜６のいずれか１項に記載の方法。
【請求項９】
前記第１のユーザーインタフェースの前記イベント表示領域が、イベント記述情報表示領域をさらに備え、
前記選択したイベントラベルが入手された後、前記方法が、前記選択したイベントラベルに従って前記イベント記述情報表示領域に前記対応するイベントの記述情報を表示することをさらに含む、請求項８に記載の方法。
【請求項１０】
各日の出発場所から前記旅行目的地へ旅行するためのチケット価格情報が、前記表示されたカレンダに応じて表示される、請求項１〜６のいずれか１項に記載の方法。
【請求項１１】
前記第１のユーザーインタフェースを前記表示した後に、前記方法が、
出発日を入手するために前記カレンダ表示領域で入力動作を受信することと、
出発場所、前記旅行目的地、及び前記出発日に従って、前記出発日に前記出発場所から前記旅行目的地へ旅行するためのチケット情報を入手することと、
前記チケット情報を表示することと
をさらに含む、請求項１〜６のいずれか１項に記載の方法。
【請求項１２】
情報提供方法であって、
旅行目的地についての情報及び検索期間についての情報を含むイベント取得要求を受信することと、
前記旅行目的地及び前記検索期間に従って、前記検索期間に前記旅行目的地で発生するイベントについての情報の問い合わせを行うことと、
前記検索期間に前記旅行目的地で発生する前記イベントについての前記情報を含むイベント取得応答を送信することと
を含む方法。
【請求項１３】
前記検索期間に前記旅行目的地で発生する前記イベントについての前記情報の前記問い合わせを行った後、前記方法が、
ユーザー嗜好情報を取得することと、
前記ユーザー嗜好情報に従って、前記検索期間に前記旅行目的地で発生する前記イベントにフィルタをかけることと
をさらに含む、請求項１２に記載の方法。
【請求項１４】
前記イベント取得応答を前記送信した後に、前記方法が、
出発場所、前記旅行目的地、及び出発日を含むチケット情報クエリー要求を受信することと、
前記出発場所、前記旅行目的地、及び前記出発日に従って、前記出発日に前記出発場所から前記旅行目的地に旅行するためのチケット情報の問い合わせを行うことと、
見つけられたチケット情報を含むチケット情報クエリー応答を送信することと
をさらに含む、請求項１２または１３に記載の方法。
【請求項１５】
情報提供方法であって、
第１の場所についての情報及び第２の場所についての情報を含む第１の検索要求を受信し、検索期間を決定することと、
前記第２の場所及び前記検索期間についての前記情報に従って、前記検索期間に前記第２の場所で発生するイベントを取得することと、
ユーザーインタフェースに、前記検索期間に前記第２の場所で発生する前記イベントについての情報を表示することと、
前記ユーザーインタフェースに基づいて提出された第２の検索要求であって、第１のときについての情報を含む第２の検索要求を受信することと、
前記第１の場所についての前記情報、前記第２の場所についての前記情報、及び前記第１のときについての前記情報に従って関連付けられたオブジェクト情報を取得することと、
前記取得したオブジェクト情報を表示することと
を含む情報提供方法。
【請求項１６】
前記第２の場所及び前記検索期間についての前記情報に従って、前記検索期間に前記第２の場所で発生する前記イベントを取得することが、
前記検索期間に前記第２の場所で発生する前記イベントについての情報を入手するために、前記第２の場所及び前記検索期間についての前記情報に従って事前設定情報を問い合わせることであって、前記事前設定情報が、Ｎ個の場所で発生するイベント及び前記イベントの発生時間を含み、Ｎが１以上の整数である、こと
を含む、または
前記第２の場所及び前記検索期間についての前記情報に従って、前記検索期間に前記第２の場所で発生する前記イベントを取得することが、
サーバに前記第２の場所についての情報及び前記検索期間についての情報を含むイベント取得要求を送信することと、
前記イベント取得要求に従って前記サーバによって送信されるイベント取得応答であって、前記第２の場所及び前記検索期間についての前記情報に従って前記サーバによって取得された、前記検索期間に前記第２の場所で発生する前記イベントについての情報を含むイベント取得応答を受信することと
を含む、または
前記第２の場所及び前記検索期間についての前記情報に従って、前記検索期間に前記第２の場所で発生する前記イベントを取得することが、
前記検索期間に前記第２の場所で発生する第１の種類のイベントについての情報を入手するために、前記第２の場所及び前記検索期間についての前記情報に従って事前設定情報を問い合わせることであって、前記事前設定情報が、Ｎ個の場所で発生する第１の種類のイベント及び前記第１の種類のイベントの発生時間を含み、Ｎが１以上の整数である、ことと、
サーバに前記第２の場所ついての前記情報及び前記検索期間についての情報を含むイベント取得要求を送信することと、前記イベント取得要求に従って前記サーバによって送信されるイベント取得応答であって、前記第２の場所及び前記検索期間についての前記情報に従って前記サーバによって取得された、前記検索期間に前記第２の場所で発生する第２の種類のイベントについての情報を含むイベント取得応答を受信することと、
前記第１の種類のイベントについての前記情報及び前記第２の種類のイベントについての前記情報に従って、前記検索期間に前記第２の場所で発生する前記イベントについての情報を入手することと
を含む、請求項１５に記載の方法。
【請求項１７】
前記ユーザーインタフェースのイベント表示領域が、イベントラベル表示領域及びカレンダ表示領域を備え、
前記ユーザーインタフェースに、前記検索期間に前記第２の場所で発生する前記イベントについての情報を表示することが、
前記ユーザーインタフェースの前記イベントラベル表示領域に、前記検索期間に前記第２の場所で発生する前記イベントのテーマをラベルとともに表示することであって、それぞれのイベントラベルが、１つ以上のイベントに対応する、ことと、
前記ユーザーインタフェースの前記カレンダ表示領域に前記検索期間に関係するカレンダを表示することと
を含む、請求項１５または１６に記載の方法。
【請求項１８】
前記ユーザーインタフェースに、前記検索期間に前記第２の場所で発生する前記イベントについての前記情報を前記表示した後に、前記方法が、
選択したイベントラベルを入手するために、前記ユーザーインタフェースの前記イベントラベル表示領域で入力動作を受け取ることと、
前記選択したイベントラベルに従って、前記ユーザーインタフェースの前記カレンダ表示領域に対応するイベントの発生時間と関連付けられたカレンダを表示することと、
前記カレンダ上で前記対応するイベントの発生日をプロンプトで出す、または前記対応するイベントの前記発生日に従って前記カレンダ上に推薦される旅行日を表示することと
をさらに含む、請求項１７に記載の方法。
【請求項１９】
前記ユーザーインタフェースの前記イベント表示領域が、イベント記述情報表示領域をさらに備え、
前記選択したイベントラベルを入手した後に、前記方法が、
前記選択したイベントラベルに従って前記イベント記述情報表示領域に前記対応するイベントの記述情報を表示すること
をさらに含む、請求項１８に記載の方法。
【請求項２０】
前記第１の場所が、出発場所であり、
前記第２の場所が、旅行目的地であり、
前記第１のときが、出発日であり、
前記関連付けられたオブジェクト情報が、前記出発日に前記出発場所から前記旅行目的地へ旅行するためのチケット情報を含む、
請求項１５〜１９のいずれか１項に記載の方法。
【請求項２１】
情報提供方法であって、
第２の場所についての情報及び検索期間についての情報を含む第１の検索要求を受信することと、
前記第２の場所及び前記検索期間についての前記情報に従って、前記検索期間に前記第２の場所で発生するイベントについての情報の問い合わせを行うことと、
前記検索期間に前記第２の場所で発生する前記イベントについての前記情報を含む第１の検索応答を送信することと
を含む情報提供方法。
【請求項２２】
前記検索期間に前記第２の場所で発生する前記イベントについての前記情報の前記問い合わせを行った後に、前記方法が、
ユーザー嗜好情報を取得することと、
前記ユーザー嗜好情報に従って、前記検索期間に前記第２の場所で発生する前記イベントにフィルタをかけることと
をさらに含む、請求項２１に記載の方法。
【請求項２３】
前記第１の検索応答を前記送信した後に、前記方法が、
第１の場所についての情報、前記第２の場所についての情報、及び第１のときについての情報を含む第２の検索要求を受信することと、
前記第１の場所についての前記情報、前記第２の場所についての前記情報、及び前記第１のときについての前記情報に従って、関連付けられたオブジェクト情報の問い合わせを行うことと、
見つけられたオブジェクト情報を含む第２の検索応答を送信することと
をさらに含む、請求項２１に記載の方法。
【請求項２４】
前記第１の場所についての前記情報が、出発場所であり、
前記第２の場所についての前記情報が、旅行目的地であり、
前記第１のときについての前記情報が、出発日であり、
前記関連付けられたオブジェクト情報が、前記出発日に前記出発場所から前記旅行目的地に旅行するためのチケット情報を含む、
請求項２３に記載の方法。
【請求項２５】
クライアント端末装置であって、
旅行目的地を入手し、検索期間を決定するように構成された第１の取得モジュールと、
前記旅行目的地及び前記検索期間に従って、前記検索期間に前記旅行目的地で発生するイベントを取得するように構成された第２の取得モジュールと、
イベント表示領域及びカレンダ表示領域を備える第１のユーザーインタフェースを表示するように構成された表示モジュールであって、前記イベントについての情報が、前記第１のユーザーインタフェースの前記イベント表示領域に表示され、前記検索期間に関係するカレンダが、前記第１のユーザーインタフェースの前記カレンダ表示領域に表示される、表示モジュールと
を備えるクライアント端末装置。
【請求項２６】
前記第２の取得モジュールが、前記検索期間に前記旅行目的地で発生する前記イベントについての情報を入手するために、前記旅行目的地及び前記検索期間に従って事前設定情報を問い合わせするように構成され、前記事前設定情報が、Ｎ個の場所で発生するイベント及び前記イベントの発生時間を含み、Ｎが１以上の整数である、請求項２５に記載の装置。
【請求項２７】
前記第２の取得モジュールが、前記旅行目的地についての情報及び前記検索期間についての情報を含むイベント取得要求をサーバに送信し、前記イベント取得要求に従って前記サーバによって送信されるイベント取得応答であって、前記旅行目的地及び前記検索期間に従って前記サーバによって取得された、前記検索期間に前記旅行目的地で発生する前記イベントについての情報を含むイベント取得応答を受信するように構成される、請求項２５に記載の装置。
【請求項２８】
前記第２の取得モジュールが、
前記検索期間に前記旅行目的地で発生する第１の種類のイベントについての情報を入手するために、Ｎ個の旅行目的地で発生する第１の種類のイベント及び前記第１の種類のイベントの発生時間を含み、Ｎが１以上の整数である事前設定情報を、前記旅行目的地及び前記検索期間に従って問い合わせ、
サーバに、前記旅行目的地についての情報及び前記検索期間についての情報を含むイベント取得要求を送信し、前記イベント取得要求に従って前記サーバによって送信されるイベント取得応答であって、前記旅行目的地及び前記検索期間に従って前記サーバによって取得される、前記検索期間に前記旅行目的地で発生する第２の種類のイベントについての情報を含むイベント取得応答を受信し、
前記第１の種類のイベントについての前記情報及び前記第２の種類のイベントについての前記情報に従って、前記検索期間に前記旅行目的地で発生する前記イベントについての情報を入手する
ように構成される、請求項２５に記載の装置。
【請求項２９】
前記第２の取得モジュールが、ユーザー嗜好情報を取得し、前記ユーザー嗜好情報に従って前記検索期間に前記旅行目的地で発生する前記イベントにフィルタをかけるようにさらに構成され、
前記第１のユーザーインタフェースを表示するとき、前記表示モジュールが、前記第１のユーザーインタフェースの前記イベント表示領域に前記フィルタにかけられたイベントについての情報を表示するように構成される、
請求項２５〜２８のいずれか１項に記載の装置。
【請求項３０】
前記第１のユーザーインタフェースの前記イベント表示領域が、前記検索期間に前記旅行目的地で発生する前記イベントのテーマをラベルとともに表示するためのイベントラベル表示領域を備え、それぞれのイベントラベルが１つ以上のイベントに対応し、
前記表示モジュールが、選択したイベントラベルを入手するために、前記第１のユーザーインタフェースの前記イベントラベル表示領域で入力動作を受け取り、前記選択したイベントラベルに従って、前記第１のユーザーインタフェースの前記カレンダ表示領域に対応するイベントの発生時間と関連付けられたカレンダを表示し、前記カレンダ上に前記対応するイベントの発生日をプロンプトで出す、または前記対応するイベントの前記発生日に従って前記カレンダに推薦される旅行日を表示するようにさらに構成される、
請求項２５〜２８のいずれか１項に記載の装置。
【請求項３１】
出発日を入手するために、前記カレンダ表示領域で入力動作を受け取り、出発場所、前記旅行目的地、及び前記出発日に従って前記出発日に前記出発場所から前記旅行目的地に旅行するためのチケット情報を入手するように構成されたチケットクエリーモジュールをさらに備え、
前記表示モジュールが、前記チケット情報を表示するようにさらに構成される、
請求項２５〜２８のいずれか１項に記載の装置。
【請求項３２】
サーバであって、
旅行目的地についての情報及び検索期間についての情報を含むイベント取得要求を受信するように構成された受信モジュールと、
前記旅行目的地及び前記検索期間に従って、前記検索期間に前記旅行目的地で発生するイベントについての情報の問い合わせを行うように構成されたイベントクエリーモジュールと、
前記検索期間に前記旅行目的地で発生する前記イベントについての前記情報を含むイベント取得応答を送信するように構成された送信モジュールと
を備えるサーバ。
【請求項３３】
前記イベントクエリーモジュールが、
ユーザー嗜好情報を取得し、
前記ユーザー嗜好情報に従って、前記検索期間に前記旅行目的地で発生する前記イベントにフィルタをかける
ようにさらに構成される、請求項３２に記載のサーバ。
【請求項３４】
チケットクエリーモジュールをさらに備え、
前記受信モジュールが、出発場所、前記旅行目的地、及び出発日を含むチケット情報クエリー要求を受信するようにさらに構成され、
前記チケットクエリーモジュールが、前記出発場所、前記旅行目的地、及び前記出発日に従って、前記出発日に前記出発場所から前記旅行目的地に旅行するためのチケット情報の問い合わせを行うように構成され、
前記送信モジュールが、見つけられたチケット情報を含むチケット情報クエリー応答を送信するようにさらに構成される、
請求項３２または３３に記載のサーバ。
【請求項３５】
クライアント端末装置であって、
第１の場所についての情報及び第２の場所についての情報を含む第１の検索要求を受信し、検索期間を決定するように構成された第１の取得モジュールと、
前記第２の場所及び前記検索期間についての前記情報に従って、前記検索期間に前記第２の場所で発生するイベントを取得するように構成された第２の取得モジュールと、
ユーザーインタフェースに、前記検索期間に前記第２の場所で発生する前記イベントについての情報を表示するように構成された表示モジュールと、
前記ユーザーインタフェースに基づいて提出される第２の検索要求であって、第１のときについての情報を含む第２の検索要求を受信し、前記第１の場所についての前記情報、前記第２の場所についての前記情報、及び前記第１のときについての前記情報に従って関連付けられたオブジェクト情報を取得するように構成された第３の取得モジュールと
を備え、
前記表示モジュールが、前記取得したオブジェクト情報を表示するようにさらに構成されるクライアント端末装置。
【請求項３６】
前記第２の取得モジュールが、前記検索期間に前記第２の場所で発生する前記イベントについての情報を入手するために、前記第２の場所及び前記検索期間についての前記情報に従って事前設定情報を問い合わせるように構成され、前記事前設定情報が、Ｎ個の場所で発生するイベント及び前記イベントの発生時間を含み、Ｎが１以上の整数である、または
前記第２の取得モジュールが、
サーバに、前記第２の場所についての前記情報及び前記検索期間についての情報を含むイベント取得要求を送信し、
前記イベント取得要求に従って前記サーバによって送信されるイベント取得応答であって、前記第２の場所及び前記検索期間についての前記情報に従って前記サーバによって取得される、前記検索期間に前記第２の場所で発生する前記イベントについての情報を含むイベント取得応答を受信する
ように構成される、または
前記第２の取得モジュールが、
前記検索期間に前記第２の場所で発生する第１の種類のイベントについての情報を入手するために、Ｎ個の場所で発生する第１の種類のイベント及び前記第１の種類のイベントの発生時間を含み、Ｎが１以上の整数である事前設定情報を、前記第２の場所及び前記検索期間についての前記情報に従って問い合わせ、
サーバに、前記第２の場所についての前記情報及び前記検索期間についての情報を含むイベント取得要求を送信し、前記イベント取得要求に従って前記サーバによって送信されたイベント取得応答であって、前記第２の場所及び前記検索期間についての前記情報に従って前記サーバによって取得される、前記検索期間に前記第２の場所で発生する第２の種類のイベントについての情報を含むイベント取得応答を受信し、
前記第１の種類のイベントについての前記情報及び前記第２の種類のイベントについての前記情報に従って、前記検索期間に前記第２の場所で発生する前記イベントについての情報を入手する
ように構成される、請求項３５に記載の装置。
【請求項３７】
前記ユーザーインタフェースのイベント表示領域が、イベントラベル表示領域及びカレンダ表示領域を備え、
前記表示モジュールが、前記ユーザーインタフェースの前記イベントラベル表示領域に、前記検索期間に前記第２の場所で発生する前記イベントのテーマをラベルとともに表示し、それぞれのイベントラベルは１つ以上のイベントに対応し、前記ユーザーインタフェースの前記カレンダ表示領域に前記検索期間に関係するカレンダを表示するように構成される、
請求項３５または３６に記載の装置。
【請求項３８】
前記表示モジュールが、
選択したイベントラベルを入手するために、前記ユーザーインタフェースの前記イベントラベル表示領域で入力動作を受け取り、
前記選択したイベントラベルに従って、前記ユーザーインタフェースの前記カレンダ表示領域に対応するイベントの発生時間と関連付けられたカレンダを表示し、
前記カレンダ上に前記対応するイベントの発生日をプロンプトで出す、または前記対応するイベントの前記発生日に従って前記カレンダ上に推薦される旅行日を表示する
ようにさらに構成される、請求項３７に記載の装置。
【請求項３９】
サーバであって、
第２の場所についての情報及び検索期間についての情報を含む第１の検索要求を受信するように構成された受信モジュールと、
前記第２の場所及び前記検索期間についての前記情報に従って、前記検索期間の前記第２の場所で発生するイベントについての情報の問い合わせを行うように構成された第１のクエリーモジュールと、
前記検索期間に前記第２の場所で発生する前記イベントについての前記情報を含む、第１の検索応答を送信するように構成された送信モジュールと
を備えるサーバ。
【請求項４０】
前記第１のクエリーモジュールが、前記検索期間に前記第２の場所で発生する前記イベントについての前記情報の問い合わせを行った後にユーザー嗜好情報を取得し、
前記ユーザー嗜好情報に従って、前記検索期間に前記第２の場所で発生する前記イベントにフィルタをかける
ようにさらに構成される、請求項３９に記載のサーバ。
【請求項４１】
第２のクエリーモジュールをさらに備え、
前記受信モジュールが、前記第１の検索応答が送信された後に、第１の場所についての情報、前記第２の場所についての前記情報、及び第１のときについての情報を含む第２の検索要求を受信するようにさらに構成され、
前記第２のクエリーモジュールが、前記第１の場所についての前記情報、前記第２の場所についての前記情報、及び前記第１のときについての前記情報に従って、関連付けられたオブジェクト情報の問い合わせを行うように構成され、
前記送信モジュールが、見つけられたオブジェクト情報を含む第２の検索応答を送信するようにさらに構成される、
請求項３９に記載のサーバ。
【請求項４２】
クライアント端末装置であって、
ディスプレイと、
コンピュータ可読命令を記憶するように構成されたメモリと、
前記メモリに結合され、前記メモリに記憶された前記コンピュータ可読命令を読み取り、それに応じて以下の
前記ディスプレイによって、旅行目的地入力領域を備える第１のユーザーインタフェースを表示する動作と、
前記第１のユーザーインタフェースの前記旅行目的地入力領域での入力動作に従って旅行目的地を入手し、検索期間を決定する動作と、
前記旅行目的地及び前記検索期間に従って、前記検索期間に前記旅行目的地で発生するイベントを取得する動作と、
前記ディスプレイによって、イベント表示領域及びカレンダ表示領域を備える第２のユーザーインタフェースを表示する動作であって、前記イベントについての情報が、前記第２のユーザーインタフェースの前記イベント表示領域に表示され、前記検索期間に関係するカレンダが、前記第２のユーザーインタフェースの前記カレンダ表示領域に表示される、動作と
を実行するように構成されたプロセッサと
を備える、前記クライアント端末装置。
【請求項４３】
クライアント端末装置であって、
ディスプレイと、
コンピュータ可読命令を記憶するように構成されたメモリと、
前記メモリに結合され、前記メモリに記憶された前記コンピュータ可読命令を読み取り、それに応じて以下の
第１の場所についての情報及び第２の場所についての情報を含む第１の検索要求を受信し、検索期間を決定する動作と、
前記第２の場所及び前記検索期間についての前記情報に従って、前記検索期間に前記第２の場所で発生するイベントを取得する動作と、
前記ディスプレイによってユーザーインタフェースに、前記検索期間に前記第２の場所で発生する前記イベントについての情報を表示する動作と、
を実行するように構成されたプロセッサと
を備え、
前記プロセッサが、前記ユーザーインタフェースに基づいて提出された第２の検索要求であって、第１のときについての情報を含む第２の検索要求を受信し、前記第１の場所についての前記情報、前記第２の場所についての前記情報、及び前記第１のときについての前記情報に従って関連付けられたオブジェクト情報を取得し、前記ディスプレイによって前記取得したオブジェクト情報を表示するようにさらに構成される、
クライアント端末装置。
【発明の詳細な説明】
【技術分野】
【０００１】
本願は、全体が本明細書に参照により援用される2016年10月26日に出願され、「METHOD AND APPARATUS FOR PROVIDING INFORMATION」と題する中国特許出願第201610951095.4号の優先権を主張する。
【０００２】
本発明は、インターネットデータ処理技術の分野に関し、より詳細には、情報を提供するための方法及び装置に関する。
【背景技術】
【０００３】
インターネット技術の継続的な発展に伴い、人々の日々の暮らしの中の要求を満たすために、インターネット技術に基づいたさまざまなアプリケーションが出現してきた。例えば、航空券及び電車またはバスの券の価格情報を提供し得るウェブサイトもあり、観光名所での特別な行事の情報を提供し得るウェブサイトもあり、現在及び将来の社会的に人気のある場所の情報を提供し得るウェブサイトもある等々である。ユーザーは、これらのウェブサイトによって提供される情報を問い合わせることによって旅行計画を立てる。
【０００４】
上記のウェブサイトは、それぞれただ１つの種類の情報を提供する。従って、ユーザーは目的地への旅行を計画するとき、適切な旅行時間を決定するために通常複数のウェブサイトにアクセスする必要がある。図示するように、上記プロセスのユーザー経験は乏しく、効率は低い。またさらに、過剰なネットワークトラフィックが端末及びサーバの占有されているリソースの電力消費を上げる。
【０００５】
図示するように、現在、特に、ユーザーが旅行計画を立てるために複数の次元での情報を提供する場合がある、ユーザーがチケット情報を問い合わせるアプリケーションでは、複数の次元に基づいて情報を提供する方法に対する差し迫ったニーズがある。
【発明の概要】
【０００６】
本願の例の実施形態では、複数の次元に基づいて情報を提供する、情報を提供するための方法及び装置を提供する。
【０００７】
本願の例の実施形態に係る情報提供方法では、第１のユーザーインタフェースが提供され、第１のユーザーインタフェースは、イベント表示領域及びカレンダ表示領域を含み、方法は、
旅行目的地を入手し、検索期間を決定することと、
旅行目的地及び検索期間に従って、検索期間に旅行目的地で発生するイベントを取得することと、
第１のユーザーインタフェースを表示することであって、イベントについての情報が、第１のユーザーインタフェースのイベント表示領域に表示され、検索期間に関係するカレンダが第１のユーザーインタフェースのカレンダ表示領域に表示される、表示することと
を含む。
【０００８】
本願の別の例の実施形態に係る情報提供方法は、
旅行目的地についての情報及び検索期間についての情報を含むイベント取得要求を受信することと、
旅行目的地及び検索期間に従って、検索期間に旅行目的地で発生するイベントについての情報の問い合わせを行うことと、
検索期間に旅行目的地で発生するイベントについての情報を含むイベント取得応答を送信することと
を含む。
【０００９】
本願の例の実施形態に係るクライアント端末装置は、
第１のユーザーインタフェースを表示するように構成された表示モジュールであって、第１のユーザーインタフェースが旅行目的地入力領域を含む表示モジュールと、
第１のユーザーインタフェースの旅行目的地入力領域内での入力動作に従って旅行目的地を入手し、検索期間を決定するように構成された第１の取得モジュールと、
旅行目的地及び検索期間に従って、検索期間に旅行目的地で発生するイベントを取得するように構成された第２の取得モジュールと、
第２のユーザーインタフェースを表示するようにさらに構成された表示モジュールであって、第２のユーザーインタフェースは、イベント表示領域及びカレンダ表示領域を含み、イベントについての情報は、第２のユーザーインタフェースのイベント表示領域に表示され、検索期間に関係するカレンダは、第２のユーザーインタフェースのカレンダ表示領域に表示される表示モジュールと
を含む。
【００１０】
本願の例の実施形態に係るサーバは、
旅行目的地についての情報及び検索期間についての情報を含むイベント取得要求を受信するように構成された受信モジュールと、
旅行目的地及び検索期間に従って、検索期間に旅行目的地で発生するイベントについての情報の問い合わせを行うように構成されたクエリーモジュールと、
イベント取得応答が、検索期間に旅行目的地で発生するイベントについての情報を含むイベント取得応答を送信するように構成された送信モジュールと
を含む。
【００１１】
本願の別の例の実施形態に係るクライアント端末装置は、
ディスプレイと、
コンピュータ可読命令を記憶するように構成されたメモリと、
メモリに結合され、メモリに記憶されたコンピュータ可読命令を読み取り、それに応えて以下の
ディスプレイによって、旅行目的地入力領域を含む第１のユーザーインタフェースを表示する動作と、
第１のユーザーインタフェースの旅行目的地入力領域での入力動作に従って旅行目的地を入手し、検索期間を決定する動作と、
旅行目的地及び検索期間に従って、検索期間に旅行目的地で発生するイベントを取得する動作と、
ディスプレイによって第２のユーザーインタフェースを表示する動作であって、第２のユーザーインタフェースがイベント表示領域及びカレンダ表示領域を含み、イベントについての情報が、第２のユーザーインタフェースのイベント表示領域に表示され、検索期間に関係するカレンダが、第２のユーザーインタフェースのカレンダ表示領域に表示される、表示する動作と
を実行するように構成されたプロセッサと、
を含む。
【００１２】
本願の例の実施形態では、クライアント端末装置は、第１のユーザーインタフェースを提供してよく、第１のユーザーインタフェースは、イベント表示領域及びカレンダ表示領域を含む。クライアント端末装置は、旅行目的地を入手し、検索期間を決定し、旅行目的地及び検索期間に従って、検索期間に旅行目的地で発生するイベントを取得し、第１のユーザーインタフェースを表示してよく、取得したイベントについての情報は、第１のユーザーインタフェースのイベント表示領域に表示され、検索期間に関係するカレンダは、カレンダ表示領域に表示される。上記の例の実施形態では、クライアント端末装置は、旅行目的地及び検索期間に従って、検索期間に旅行目的地で発生するイベントを取得し、ユーザーのためにユーザーインタフェースで取得したイベントを表示してもよく、これによりユーザーはそれに応じて旅行時間を決定する。現在の技術と比較すると、イベントに基づいて旅行計画を決定するための次元が追加され、これによりユーザーは、適切な旅行計画を便利に決定し、複数のウェブサイトに問い合わせする必要がないのでネットワークトラフィックを節約し、このようにして端末の電力消費及びサーバのリソースオーバヘッドを削減する。
【００１３】
本願の他の例の実施形態はさらに、複数の次元に基づいて情報を提供する、情報を提供するための方法及び装置を提供する。
【００１４】
本願の例の実施形態に係る情報提供方法は、
第１の場所についての情報及び第２の場所についての情報を含む第１の検索要求を受信し、検索期間を決定することと、
第２の場所及び検索期間についての情報に従って、検索期間に第２の場所で発生するイベントを取得することと、
ユーザーインタフェースで、検索期間に第２の場所で発生するイベントについての情報を表示することと、
ユーザーインタフェースに基づいて提出された第２の検索要求であって、第１のときについての情報を含む第２の検索要求を受信することと、
第１の場所についての情報、第２の場所についての情報、及び第１のときについての情報に従って、関連付けられたオブジェクト情報を取得することと、
取得したオブジェクト情報を表示することと
を含む。
【００１５】
本願の別の例の実施形態に係る情報提供方法は、
第２の場所についての情報及び検索期間についての情報を含む第１の検索要求を受信することと、
第２の場所及び検索期間についての情報に従って、検索期間に第２の場所で発生するイベントについての情報の問い合わせを行うことと、
検索期間に第２の場所で発生するイベントについての情報を含む第１の検索応答を送信することと
を含む。
【００１６】
本願の例の実施形態に係るクライアント端末装置は、
第１の場所についての情報及び第２の場所についての情報を含む第１の検索要求を受信し、検索期間を決定するように構成された第１の取得モジュールと、
第２の場所及び検索期間についての情報に従って、検索期間に第２の場所で発生するイベントを取得するように構成された第２の取得モジュールと、
ユーザーインタフェースに、検索期間に第２の場所で発生するイベントについての情報を表示するように構成された表示モジュールと、
ユーザーインタフェースに基づいて提出された第２の検索要求であって、第１のときについての情報を含む第２の検索要求を受信し、第１の場所についての情報、第２の場所についての情報、及び第１のときについての情報に従って関連付けられたオブジェクト情報を取得するように構成された第３の取得モジュールと
を含み、
表示モジュールは、取得したオブジェクト情報を表示するようにさらに構成される。
【００１７】
本願の例の実施形態に係るサーバは、
第２の場所についての情報及び検索期間についての情報を含む第１の検索要求を受信するように構成された受信モジュールと、
第２の場所及び検索期間についての情報に従って、検索期間に第２の場所で発生するイベントについての情報の問い合わせを行うように構成されたクエリーモジュールと、
検索期間に第２の場所で発生するイベントについての情報を含む第１の検索応答を送信するように構成された送信モジュールと
を含む。
【００１８】
本願の別の例の実施形態に係るクライアント端末装置は、
ディスプレイと、
コンピュータ可読命令を記憶するように構成されたメモリと、
メモリに結合され、メモリに記憶されたコンピュータ可読命令を読み取り、それに応えて、以下の、
第１の場所についての情報及び第２の場所についての情報を含む第１の検索要求を受信し、検索期間を決定する動作と、
第２の場所及び検索期間についての情報に従って、検索期間に第２の場所で発生するイベントを取得する動作と、
ユーザーインタフェースに、ディスプレイを介して、検索期間に第２の場所で発生するイベントについての情報を表示する動作と
を実行するように構成されたプロセッサと、
ユーザーインタフェースに基づいて提出された第２の検索要求であって、第１のときについての情報を含む第２の検索要求を受信し、第１の場所についての情報、第２の場所についての情報、及び第１のときについての情報に従って関連付けられたオブジェクト情報を取得し、ディスプレイを介して取得したオブジェクト情報を表示するようにさらに構成されたプロセッサと
を含む。
【００１９】
本願の例の実施形態では、クライアント端末装置は、受信した第１の検索要求に従って第１の場所、第２の場所、及び検索期間を決定し、第２の場所及び検索期間についての情報に従って、検索期間に第２の場所で発生するイベントを取得し、ユーザーインタフェースにイベントを表示してよい。クライアント端末装置は、さらに、第１のときを含み、ユーザーインタフェースに基づいて提出された第２の検索要求をさらに受信し、第１の場所についての情報、第２の場所についての情報、及び第１のときについての情報に従って関連付けられたオブジェクト情報を取得し、関連付けられたオブジェクト情報を表示してよい。上記の例の実施形態では、クライアント端末装置は、第２の場所及び検索期間に従って、検索期間に第２の場所で発生するイベントを取得し、ユーザーのためにユーザーインタフェースにイベントを表示してよく、これによりユーザーは、イベントに基づいて第１のときを決定する。従って、例えば場所、時間、及びイベント等の複数の視点に基づいて情報が提供される。
【００２０】
本発明の例の実施形態の技術解決策をより明確に説明するために、例の実施形態を説明するために使用される図面は、以下に簡略に紹介される。明らかに、以下に説明する図面は、本開示のいくつかの例の実施形態を単に表すにすぎず、当業者は、創造的な取り組みなくこれらの図面に従って他の図面を入手し得る。
【図面の簡単な説明】
【００２１】
【図１】本例の実施形態の例の実施形態が適用可能であるネットワークアーキテクチャの概略図である。
【図２】本願の例の実施形態に係るユーザーインタフェース２００の概略図である。
【図３】本願の例の実施形態に係るユーザーインタフェース３００の概略図である。
【図４】本願の例の実施形態に係るユーザーインタフェース３００の概略図である。
【図５】本願の例の実施形態に係るイベント検索プロセスの概略フローチャートである。
【図６】本願の例の実施形態に係るイベント検索プロセスの概略フローチャートである。
【図７】本願の例の実施形態に係るチケット検索プロセスの概略フローチャートである。
【図８】本願の例の実施形態に係る汎用情報提供プロセスの概略フローチャートである。
【図９】本願の例の実施形態に係るクライアント端末装置の概略構造図である。
【図１０】本願の例の実施形態に係るサーバの概略構造図である。
【図１１】本願の別の例の実施形態に係るクライアント端末装置の概略構造図である。
【図１２】本願の別の例の実施形態に係るサーバの概略構造図である。
【図１３】本願の別の例の実施形態に係るクライアント端末装置の概略構造図である。
【図１４】本願の別の例の実施形態に係るクライアント端末装置の概略構造図である。
【発明を実施するための形態】
【００２２】
ユーザーが、旅行目的地が決定されたときに（出発時刻及び／または帰宅時間を含む場合がある）旅行時間を決定するために複数のウェブサイトにアクセスする必要があるという現在の技術の問題を解決するために、本願の例の実施形態は、電子商取引のウェブサイトで適用し得る、情報を提供するための方法及び装置を提供する。チケット情報の問い合わせ及び予約に関係するアプリケーションを一例として使用すると、アプリケーションでは、クライアント端末装置は、ユーザーによって入力された目的地及び検索期間に従って、検索期間に目的地で発生することになるイベントを取得し、ユーザーインタフェースに取得したイベント及び検索期間に関係するカレンダを表示してよい。対応するイベントの発生時間はカレンダに印を付けられてよく、これによりユーザーは、ユーザーインタフェースに従って検索期間に目的地で発生することになるイベント、及びイベントの具体的な発生時間を知り、それによって自身の要求及び嗜好に従って旅行時間を決定してよい。
【００２３】
本願の例の実施形態は、例として旅行チケット情報の問い合わせに関係するアプリケーションを使用することによって添付図面を参照し、詳細に説明される。ここに説明する好ましい例の実施形態は、本願を限定するのではなく、単に本願を説明し、示すためのものであることが理解されるべきである。さらに、本願の例の実施形態及び例の実施形態の特徴は、矛盾点が発生しない場合互いに組み合わされてよい。
【００２４】
図１は、本願の例の実施形態が適用可能であるネットワークアーキテクチャの概略図を例示的に示す。図１に示すように、ネットワークアーキテクチャは、クライアント端末装置１０１及びサーバ１０３を含んでよい。複数のクライアント端末装置１０１及び複数のサーバ１０３がある場合がある（図には１つしか示していない）。クライアント端末装置１０１及びサーバ１０３は、ネットワーク１０２を通じて互いと通信してよい。
【００２５】
アーキテクチャ内のクライアント端末装置１０１は、情報を提供するためのクライアント端末プログラムを具備し、サーバ１０３は、情報を提供するためのサーバ端末プログラムを具備する。クライアント端末装置１０１及びサーバ１０３は、情報提供に関係する機能及びサービスを実装するために互いと連携してよい。
【００２６】
ネットワークアーキテクチャ内のクライアント端末装置１０１は、例えば携帯端末、パーソナルコンピュータ（ＰＣ）等の装置であってよい。携帯端末は、携帯電話、パーソナルデジタルアシスタント（ＰＤＡ）、スマートウェアラブルデバイス等であってよい。
【００２７】
ネットワークアーキテクチャ内のクライアント端末装置１０１及びサーバ１０３は、ネットワーク１０２を通じて情報のインタラクションを実行してよい。ネットワークは、広域ネットワーク、ローカルエリアネットワークもしくはインターネット、または移動通信技術を使用するインターネットであってよい。クライアント端末装置１０１は、無線でインターネットにアクセスしてよく、サーバ１０３は、通常有線でインターネットに接続される。
【００２８】
任意選択で、クライアント端末装置１０１及びサーバ１０３は、クラウドコンピューティング技術の強力な機能に基づいて情報処理を実施するためにクラウドコンピューティング技術を採用してよい。クライアント端末装置１０１及びサーバ１０３は、例えばＹｕｎＯＳ等のクラウドコンピューティング技術に基づいたオペレーティングシステムを採用し、それによってクラウド及び端末のリソース及びサービスを統合してよい。
【００２９】
本願の例の実施形態では、イベント情報を記憶するためのイベントデータベースが事前に設定されてよく、イベント情報は、具体的には、イベントテーマ、イベント記述情報、イベント発生時間及び発生場所等を含んでよい。データベースは、クエリーサービスを提供してよい。例えば、イベントデータベースは、場所及び時間に基づいて問い合わせされて、その時間にその場所で発生するイベントを入手してよい。「イベント」は、ここでは、例えば休日の活動、（例えば、コンサート等の）パフォーマンス活動、（例えば、ゲーム、試合、及び他の活動のオープニングセレモニー等の）スポーツイベント等の、ここでは詳説しない社会生活におけるさまざまなイベントを含む。さまざまなイベントは、その特徴に従い２つの種類に分類されてよい。一方の種類は、固定された種類のイベントであり、例えば、休日のイベントは概して休日に行われ、いくつかのスポーツゲームもこの特徴を有する。他方の種類は、固定されない種類のイベントであり、例えば、パフォーマンス活動である。
【００３０】
本願のいくつかの例の実施形態では、イベントデータベースはサーバに設定される。サーバに設定されたイベントデータベースは、要求に従って更新されてよい。クライアント端末装置は、サーバにイベントクエリー要求を送信し、それによってイベント関係の情報を入手してよい。
【００３１】
他の例の実施形態では、イベントデータベースは、クライアント端末装置に設定されてよい。クライアント端末装置は、ローカルイベントデータベースを更新するためにサーバにイベントデータベース更新要求を送信してよい。また、サーバは、クライアント端末装置のイベントデータベースを更新するために、新しいイベントの計画がある（例えば、新しいコンサートが１か月後に開催されることが確認される）ときクライアント端末装置にデータベース更新情報を、先を見越してプッシュしてもよい。
【００３２】
他の例の実施形態では、イベントデータベースは、それぞれクライアント端末装置及びサーバに設定されてよい。クライアント端末装置に配置されたイベントデータベースは、固定された種類のイベントのデータベースであり、サーバに設定されたデータベースは、固定されていない種類のイベントのデータベースである。固定された種類のイベントを更新することは概して不必要である。従って、固定された種類のイベントのデータベースはクライアント端末装置に設定され、これによりイベントデータベースを更新するためのクライアント端末装置とサーバとの間のシグナリングインタラクションは、回避され得る。サーバは、要求に従って、その中で固定されていない種類のイベントを更新してよい。クライアント端末装置は、固定されていない種類のイベントに関係する情報を入手するためにサーバにイベントクエリー要求を送信してよい。
【００３３】
上記の３つのイベントデータベース設定方法から示すように、イベントデータベースがクライアント端末装置だけに設定される場合、クライアント端末装置は、イベントに関係する情報の問い合わせを効率的に行い得るが、イベントデータベースを更新するためにサーバとインタラクションする必要がある。イベントデータベースがサーバだけに設定される場合、データベースを更新するためのシグナリングをクライアント端末装置と交換することは不要であるが、クライアント端末装置は、データベースに問い合わせするときサーバとインタラクションする必要がある。異なる種類のイベントのデータベースが、それぞれクライアント端末装置及びサーバに設定される場合、アクセスの効率性とリソースオーバヘッドとの間でバランスが達成され得る。特定の実装中、適切な設定方法は、アクセス性能要件、装置ストレージオーバヘッド要件、ネットワーク性能、及び他の要因に従って選択されてよい。
【００３４】
クライアント端末装置は、イベント及びチケット情報の問い合わせのためのユーザーインタフェースを提供してよい。図２は、ユーザーが、クエリー条件を入力できるようにするユーザーインタフェース２００を例示的に示す。図３は、見つけられたイベント及び関係するカレンダを表示するためのユーザーインタフェース３００を例示的に示す。
【００３５】
図２に示すように、ユーザーインタフェース２００は、インタフェーステーマ表示領域２０１、旅行場所入力領域２０２、旅行時間入力領域２０３、及び検索命令領域２０４を含んでよい。「航空券検索」は、ユーザーインタフェースのテーマ名としてインタフェーステーマ表示領域２０１に表示される。旅行場所入力領域２０２は、出発場所のための入力領域及び到着場所のための入力領域を提供する。旅行場所入力領域２０２は、ユーザーが旅行場所を入力できるようにする入力フィールド制御によって実装されてよく、または旅行場所入力領域２０２は、例えばユーザーが出発場所のための入力領域をクリックするときに提示されるポップアップ都市選択インタフェース等の別の制御によって実装されてもよく、これはユーザーが出発場所としてプログラム選択インタフェースで都市を選択できるようにする。旅行時間入力領域２０３は、ユーザーが出発時刻を入力できるようにする入力フィールド制御によって実装されてよく、または旅行時間入力領域２０３は、例えばユーザーが出発時刻入力領域をクリックするとき提示されるポップアップカレンダ等の別の制御によって実装されてよく、これはユーザーがカレンダで出発時刻を選択できるようにする。クエリー命令領域２０４は、ボタン制御またはリンクによって実装されてよい。ユーザーがクエリー命令を選択すると、旅行場所及び旅行時間についての情報を含んだイベントクエリー要求が生成される。
【００３６】
さらに、ユーザーインタフェースは、インテリジェントレコメンデーション選択命令領域２０５をさらに含んでよい。ユーザーは、インテリジェントレコメンデーション情報ウィンドウ２０６を展開することと、インテリジェントレコメンデーションウィンドウ２０６を閉じることを切り替えるためにインテリジェントレコメンデーション選択命令領域２０５をクリックしてよく、インテリジェントレコメンデーション情報ウィンドウ２０６は、出発の場所から旅行目的地まで旅行するためのシステムによって推薦されたチケット情報を表示してよい。
【００３７】
さらに、ユーザーインタフェースは、例えば、前のユーザーインタフェースに戻るためのショートカット動作領域２０７、割引航空券クエリーインタフェースまでとばすためのショートカット動作領域２０８、低価格リマインダー情報を表示するためのインタフェースまでとばすためのショートカット動作領域２０９、低価格傾向クエリーインタフェースまでとばすためのショートカット動作領域２１０、フライト動的情報を表示するためのインタフェースまでとばすためのショートカット動作領域２１１、及びオンライン座席選択インタフェースまでとばすためのショートカット動作領域２１２等の動作を容易にするためのいくつかのショートカット動作領域をさらに含んでよい。
【００３８】
ユーザーインタフェース２００に旅行場所及び旅行時間を入力し、検索命令を選択した後、ユーザーは、ユーザーインタフェース３００にリダイレクトされてよい。
【００３９】
図３に示すように、ユーザーインタフェース３００は、インタフェーステーマ表示領域３０１、イベントラベル表示領域３０２、及びカレンダ表示領域３０３を含んでよく、さらにイベント記述情報表示領域３０４を含んでよい。イベントラベル表示領域３０２及びイベント記述情報表示領域３０４は、集合的にイベント情報表示領域と呼ぶ場合がある。
【００４０】
カレンダは、ユーザーインタフェースのテーマ名としてインタフェーステーマ表示領域３０１に表示される。イベントラベル表示領域３０２は、ユーザーインタフェース２００に入力された旅行場所及び旅行時間に基づいて取得されたイベント関係情報を表示する。１つのイベントラベルは１つのイベントに対応してよく、イベントのテーマはラベルに示されてよい。また、１つのイベントラベルは複数のイベントに対応してもよい。カレンダ表示領域３０３は、ユーザーインタフェース２００に入力された旅行時間に関係するカレンダを表示する。例えば、旅行時間が２０１６年４月１４日である場合、カレンダ表示領域３０３に表示されるカレンダは、２０１６年４月及び５月のカレンダである。
【００４１】
さらに、カレンダ表示領域３０３に表示されるカレンダで、航空券の価格が各日付に対応して表示されてよい。日付に対応する航空券の価格は、ユーザーインタフェース２００を通じて入力された旅行場所に基づいて入手された日付での航空券の価格である（例えば、航空券の価格は、平均価格、最低価格または最高価格であってよい）。例えば、ユーザーインタフェース２００を通じて入力された出発場所及び目的地は北京及び上海であり、カレンダ表示領域３０３に表示されるカレンダ上で２０１６年４月１４日に対応する航空券の価格は、２０１６年４月１４日の北京から上海への全フライトの航空券の平均価格であってよい。
【００４２】
さらに、対応する期間の旅行目的地の何らかの他の旅行に関係する情報は、表示されたカレンダに基づいてカレンダ表示領域３０３に表示されてよい。例えば、以下の種類の情報、つまり旅行目的地が雨季等にあるかどうかについての気候情報、天気情報、旅行目的地がピークの観光シーズンにあるかどうかについての情報等のうちの１つ以上が表示される。
【００４３】
さらに、ユーザーインタフェースは、例えば、前のユーザーインタフェースに戻るためのショートカット動作領域３０５等の動作を容易にするためのいくつかのショートカット動作領域をさらに含んでよい。
【００４４】
ユーザーが画面上での動作を通してイベントラベルを選択した後、ユーザーインタフェース３００は、図４に示す通りである場合がある。選択したイベントラベルに対応するイベントによれば、イベントの発生時間に関係するカレンダが、カレンダ表示領域３０３に表示される。例えば、ユーザーによって選択されるイベントの発生時間が２０１６年４月２６日である場合、２０１６年の４月のカレンダが、カレンダ表示領域３０３に表示される。別の例の場合、ユーザーによって選択されたイベントの発生時間が２０１６年４月２５日から２０１６年５月５日である場合、２０１６年の４月及び５月のカレンダがカレンダ表示領域３０３に表示される。選択したイベントラベルに対応するカレンダによれば、イベントの記述情報は、例えばイベントの簡潔な紹介または説明等、イベント記述情報表示領域３０４に表示される。イベント記述情報は、例えばテキスト、ピクチャ等の多くの媒体形式で表示されてよい。イベント記述情報は、対応するイベントを説明するページまでとばすためのリンクを含んでよい。リンクが選択されると、対応するイベントを紹介するためのページが開かれる。
【００４５】
ユーザーは、図４に示されるユーザーインタフェース３００に従って、例えばイベント情報、航空券価格情報、地元気候情報、地元天気情報等を含んだ旅行時間及び旅行場所に関係する多次元的な情報を入手してよく、これによりユーザーは、移動計画を立てるための多次元情報サービスを具備する。上記情報に基づいて、ユーザーは、ユーザーインタフェース３００に提供されるカレンダを通して（例えば、出発日及び帰国日等の）最終的な旅行時間を決定してよく、選択した旅行時間に基づいてチケット検索要求を生成し、対応するチケット情報の問い合わせを行うためにサーバにチケット検索要求を送信してよい。
【００４６】
ユーザーインタフェース２００に入力された旅行時間が主に、対応する期間のイベント検索し、ユーザーインタフェース３００にイベントを表示し、それによってユーザーが最終的な旅行時間を決定するための根拠を提供するためのイベント検索条件として使用されることに留意されたい。ユーザーインタフェース３００に基づいてユーザーによって入力される時間は、チケット情報を検索するための最終的な旅行時間として使用され、チケット情報はユーザーに表示される。
【００４７】
ユーザーインタフェース２００及びユーザーインタフェース３００は単に例にすぎないことに留意されたい。本願の例の実施形態は、図２及び図３に示すユーザーインタフェースに限定されない。例えば、イベント情報は、ラベルとともにユーザーインタフェースに表示されてよい、または例えば、ここで列挙しない、タイトルリスト等の他の形式でユーザーインタフェースに表示されてよい。
【００４８】
図５は、上記のユーザーインタフェース２００及びユーザーインタフェース３００に基づいて実装される情報提供プロセスの概略フローチャートを示す。図５に示すように、プロセスは、以下のステップを含んでよい。
【００４９】
ステップ５０１：クライアント端末装置はユーザーインタフェース２００を表示する。
【００５０】
このステップで、ユーザーは、画面上で動作（例えば、チケット情報を問い合わせるためのリンクをクリックすること）を実行してよく、これによりクライアント端末装置はユーザーインタフェース２００を表示する。ユーザーがユーザーインタフェース２００に旅行時間及び旅行場所についての情報を入力する前は、ユーザーインタフェース２００内の旅行場所入力領域２０２はデフォルトで空である、またはユーザーがいる現在の都市は、旅行場所入力領域２０２内の出発場所のための入力領域にデフォルトで表示される。現在のＩＰアドレスの値が地理的領域に関係することを考慮すると、ユーザーの現在の都市は、クライアント端末装置によって使用される現在のＩＰアドレスに従って決定されてよい。ユーザーインタフェース２００の旅行時間入力領域２０３は、デフォルトで空であってよい、またはクライアント端末装置の現在のシステム時間に従って現在の日付を表示してよい。
【００５１】
ステップ５０２：クライアント端末装置は、ユーザーインタフェース２００の目的地入力領域での入力動作に従って旅行目的地を入手し、検索期間を決定する。
【００５２】
このステップで、ユーザーは、ユーザーインタフェース２００の旅行場所入力領域２０２に旅行目的地を入力してよい。上述したように、この領域で使用される異なる種類の制御に従って、ユーザーは、対応する方法で旅行目的地情報を入力してよい。例えば、旅行場所入力領域２０２が入力フィールド制御を使用する場合、ユーザーは、入力フィールドに旅行目的地を入力する必要がある。旅行場所入力領域２０２が都市名を表示するためにポップアップウィンドウを使用する場合、ユーザーは対応する都市の名前をクリックして旅行目的地としてその都市を選択してよい。
【００５３】
ユーザーインタフェース２００に基づいて、クライアント端末装置は、検索期間の検索開始日としてユーザーインタフェース２００の旅行時間入力領域２０３にユーザーによって入力された日付を使用し、検索開始日及びデフォルトの検索時間長さに従って検索期間の検索終了日を決定し、それによって検索期間を決定してよい。
【００５４】
他の例の実施形態では、検索期間は、以下の方法を使用し、決定されてもよい。
【００５５】
方法１で、検索期間の検索開始日は、現在のシステム時間に従って決定され、検索期間の検索終了日は、決定された検索開始日及びデフォルトの検索時間長さに従って決定される。この方法は、ユーザーインタフェースが旅行時間入力領域を含まない場合に適用可能である。
【００５６】
方法２で、検索期間の検索開始日は、現在のシステム時間に従って決定され、ユーザーインタフェース２００に入力された旅行時間は、検索期間の検索終了日として使用され、それによって検索期間を決定する。
【００５７】
方法３では、ユーザーインタフェース２００の旅行日入力領域２０３に入力された旅行開始日は、検索期間の検索開始日として使用され、この領域に入力された旅行帰国日は、検索期間の検索終了日として使用され、それによって検索期間を決定する。
【００５８】
ステップ５０３：クライアント端末装置は、旅行目的地及び検索期間に従って、検索期間に旅行目的地で発生するイベントを取得する。
【００５９】
このステップで、異なるイベントデータベース設定方法によれば、イベント情報は、対応する方法で取得されてよい。例えば、イベント情報は、以下の方法で取得されてよい。
【００６０】
方法１で、クライアント端末装置は、検索期間に旅行目的地で発生するイベントについての情報を入手するために旅行目的地及び検索期間に従って事前に設定されたイベントデータベースに問い合わせする。この方法は、イベントデータベースが、クライアント端末装置だけに設定される場合に適用できる。
【００６１】
方法２で、クライアント端末装置は、サーバにイベント取得要求を送信し、イベント取得要求は旅行目的地についての情報、及び検索期間についての情報を含む。サーバは、イベント取得要求の中の旅行目的地についての情報及び検索期間についての情報に従ってイベントデータベースに問い合わせて、検索期間に旅行目的地で発生するイベントを入手し、イベント取得応答を通してクライアント端末装置にイベントを返す。この方法は、イベントデータベースがサーバだけに設定される場合に適用できる。
【００６２】
一方、方法３で、クライアント端末装置は、旅行目的地及び検索期間に従って事前に設定されたイベントデータベースに問い合わせて、検索期間に旅行目的地で発生する第１の種類のイベント（固定された種類のイベント）についての情報を入手する。他方、クライアント端末装置は、サーバにイベント取得要求を送信し、イベント取得要求は、旅行目的地についての情報及び検索期間についての情報を含む。サーバは、イベント取得要求の中の旅行目的地についての情報及び検索期間についての情報に従ってイベントデータベースに問い合わせて、検索期間に旅行目的地で発生する第２の種類のイベントを入手し、イベント取得応答を通してクライアント端末装置に第２の種類のイベントを返す。クライアント端末装置は、第１の種類のイベントについての情報及び第２の種類の情報に従って検索期間に旅行目的地で発生するイベントについての情報を入手する。この方法は、第１の種類のイベントのイベントデータベースが、クライアント端末装置に設定され、第２の種類のイベントのイベントデータベースがサーバに設定される場合に適用できる。
【００６３】
多くのイベントまたは多くの種類のイベントが、検索期間に旅行目的地で発生する場合があり、全ての種類のイベントがユーザーによって関心を持たれるわけではない。従って、見つけられたイベントがユーザーの要求または嗜好に合うようにするために、このステップでは、検索期間に旅行目的地で発生するイベントが見つけられた後に、イベントはさらにユーザー嗜好情報に従って選抜されてよく、これによりユーザー嗜好情報に一致するイベントがユーザーインタフェースに表示される。実装中、チケット情報クエリーに関係するアプリケーションを使用する前に、ユーザーは、最初にユーザーアカウントのある対応するシステムにログオンする必要がある。従って、ステップ５０３で、クライアント端末装置は、サーバにユーザー嗜好情報取得情報要求を送信してよく、この要求は、（例えば、ユーザーＩＤ等の）ユーザーアカウント情報を搬送する。サーバは、ユーザーアカウント情報に従って対応するユーザー参考情報を取得し、ユーザー参考情報をクライアント端末装置に返してよい。また、クライアント端末装置は、ユーザーアカウント情報に従って、クライアント端末装置に保存されたクッキー情報を問い合わせて、ユーザー嗜好情報を入手してよい。例えば、クライアント端末装置は、ユーザー嗜好情報に従って、ユーザーがコンサートよりもスポーツイベントにより興味があると判断する。従って、見つけられたイベントの中のコンサートイベントは、フィルタにかけることにより削除される場合があり、スポーツイベントは、イベントラベルに表示されるために保持される。
【００６４】
ステップ５０４：クライアント端末装置は、ユーザーインタフェース３００を表示し、取得されたイベントのラベルは、ユーザーインタフェース３００のイベントラベル表示領域３０２に表示され、検索期間に関係するカレンダは、ユーザーインタフェース３００のカレンダ表示領域３０３に表示される。詳細は図３に示すとおりである。
【００６５】
このステップでは、イベントラベルが表示されるとき、表示されるイベントは、優先順位レベルの降順に従って並べ替えられてよく、対応するイベントのラベルは、並べ替えられたイベントに従って表示される。優先順位レベルの順序は、ユーザーまたはシステムによって設定されてよい。優先順位レベルの順序がシステムによって設定される例では、スポーツイベントの優先順位レベルはコンサートの優先順位レベルよりも高い。別の例では、ユーザー嗜好情報を入手した後、クライアント端末装置は、ユーザー嗜好情報に従って異なる種類のイベントの優先順位レベルを決定してよい。例えば、ユーザー嗜好情報が、ユーザーがスポーツイベントに対してよりもコンサートイベントに対してより興味があることを示す場合、コンサートイベントの優先順位レベルは、スポーツイベントの優先順位レベルよりも高くなるように設定されてよい。
【００６６】
上記のプロセスでは、クライアント端末装置は、最初に、ユーザーインタフェース２００に基づいてイベントクエリー要求を受信し（要求は、旅行目的地についての情報及び検索期間についての情報を含む）、次いでユーザーインタフェース３００を通して見つけられたイベントについての情報を表示する。他の例では、イベントクエリー要求は、他の方法で入手されてもよい。例えば、観光情報を紹介するためのアプリケーションが実行されるとき、ユーザーは、目的地情報及び予想旅行時間情報を入力する。観光情報を受け取るためのアプリケーションのユーザーインタフェースは、チケットクエリーのためのリンクを含む。ユーザーがリンクを選択するとき、入力された目的地情報及び予想旅行時間情報をパラメータとして搬送するＵＲＩ（Uniform Resource Identifier）要求が、サーバに送信されてよい。サーバは、パラメータに従って関係するイベント情報の問い合わせを行い、クライアント端末装置に、チケット情報クエリーサービスを提供するアプリケーションのユーザーインタフェース３００を返してよい。ユーザーインタフェース３００は、見つけられたイベントの関係する情報を表示する。
【００６７】
さらに、ステップ５０４の後、ユーザーは、対応するイベントの具体的な情報を見るためにイベントラベルを選択してよい。図６に示すように、このプロセスは以下のステップを含んでよい。
【００６８】
ステップ６０１：クライアント端末装置は、選択したイベントラベルを入手するためにユーザーインタフェース３００のイベントラベル表示領域３０２で入力動作を受け取る。
【００６９】
ステップ６０２：クライアント端末装置は、選択されたイベントラベルに従って、ユーザーインタフェース３００のカレンダ表示領域３０３の対応するイベントの発生時間と関連付けられたカレンダを表示し、カレンダ上で対応するイベントの発生日をプロンプトで出す。例えば、（イベント開始日もしくはイベント終了日、またはイベント開始日からイベント終了日までの期間を含んだ）イベントの発生時間は、カレンダ上に目立つように表示され、例えば強調表示または異なる色で表示されてよい。さらに、イベントの発生期間は、Ｍ日（Ｍの値が設定されてよく、例えば値は１または２である）前まで延長されてよく、延長された期間の開始日は、ユーザーに対して推薦される旅行時間開始日としてカレンダに目立つように表示される。
【００７０】
さらに、選択したイベントラベルを入手した後、クライアント端末装置は、選択したイベントラベルに従ってイベント記述情報表示領域３０４に対応するイベントの記述情報をさらに表示してよい。この領域に表示されるイベント記述情報は、テキスト、ピクチャ、もしくは別の種類の媒体で、または複数の種類の媒体の組合せで表示されてよい。
【００７１】
表示効果は、図４に示す通りであってよい。
【００７２】
さらに、ステップ５０４、ステップ５０５、またはステップ６０２の後、ユーザーは、ユーザーインタフェース３００に表示される情報に基づいて（出発日を含んだ、または出発日及び帰国日を含んだ）具体的な旅行日を選択してよく、これにより対応する日付のチケット情報は、旅行日に基づいて問い合わせることによって見つけられ、次いで表示される。図７に示すように、プロセスは、以下のステップを含んでよい。
【００７３】
ステップ７０１：クライアント端末装置は、出発日を入手するためにカレンダ表示領域で入力動作を受け取る。
【００７４】
このステップで、ユーザーは、ユーザーインタフェース３００に表示される多次元的な情報に基づいて最終的な旅行時間を決定してよい。ユーザーは、カレンダ表示領域に表示されるカレンダ上の日付を選択してよく、これによりクライアント端末装置は（出発日を含んだ、帰国日を含んだ、または出発日及び帰国日を含んだ）旅行時間を入手する。言うまでもなく、本願の例の実施形態は、ユーザーが他の方法で旅行時間を入力できるようにもする。
【００７５】
ステップ７０２：クライアント端末装置は、出発場所、旅行目的地、及び旅行時間に従って旅行時間及び旅行場所と関連付けられたチケット情報を取得する。
【００７６】
具体的には、取得したチケット情報は、以下の情報、つまり出発日に出発場所から旅行目的地まで旅行するためのチケット情報、及び帰国日に旅行目的地から出発場所に戻ってくるためのチケット情報のうちの１種類を含んでよい。
【００７７】
このステップで、クライアント端末装置は、サーバにチケット情報クエリー要求を送信してよく、要求は、出発場所、旅行目的地についての情報、及び旅行時間についての情報を搬送する。サーバは、クエリー要求に従ってチケット情報の問い合わせを行い、クライアント端末装置に見つけられたチケット情報を返す。
【００７８】
ステップ７０３：クライアント端末装置は、見つけられたチケット情報を表示する。表示されたチケット情報は、航空会社名、フライト名、出発時刻、到着時刻、価格、特別オファー情報等を含んでよい。
【００７９】
上記の説明から、本願の上記の例の実施形態では、クライアント端末装置が第１のユーザーインタフェースを提供してよく、第１のユーザーインタフェースが、イベント表示領域及びカレンダ表示領域を含むことがわかる。クライアント端末装置は、旅行目的地を入手し、検索期間を決定し、旅行目的地及び検索期間に従って、検索期間に旅行目的地で発生するイベントを取得し、第１のユーザーインタフェースを表示してよく、取得したイベントについての情報は、第１のユーザーインタフェースのイベント表示領域に表示され、検索期間に関係するカレンダは、カレンダ表示領域に表示される。上述の例の実施形態では、クライアント端末装置は、旅行目的地及び検索期間に従って、検索期間に旅行目的地で発生するイベントを取得し、ユーザーのためにユーザーインタフェースに取得したイベントを表示してよく、これによりユーザーはイベントに基づいて旅行時間を決定する。現在の技術と比較すると、イベントに基づいて旅行計画を決定するための次元は増加し、これによりユーザーは適切な旅行計画を便利に計画してよく、複数のウェブサイトに問い合わせすることは不必要であるのでネットワークトラフィックを節約し、このようにして端末の電力消費及びサーバのリソースオーバヘッドを削減し得る。
【００８０】
基本的に同じ技術的概念に基づいて、本願の別の例の実施形態は普遍的な情報提供方法をさらに提供する。
【００８１】
図８を参照すると、本願の例の実施形態に係る普遍的な情報提供プロセスの概略フローチャートが示される。図面に示すように、このプロセスは以下のステップを含んでよい。
【００８２】
ステップ８０１：クライアント端末装置は、第１の検索要求を受信し、検索期間を決定し、第１の検索要求は（例えば、出発場所等の）第１の場所についての情報、及び（例えば、旅行目的地等の）第２の場所についての情報を含む。
【００８３】
ステップ８０２：クライアント端末装置は、第２の場所及び検索期間についての情報に従って、検索期間に第２の場所で発生するイベントを取得する。
【００８４】
このステップは、以下の方法で実施されてよい。
【００８５】
方法１で、クライアント端末装置は、第２の場所及び検索期間についての情報に従って事前設定情報を問い合わせて、検索期間に旅行目的地で発生するイベントについての情報を入手する。事前設定情報は、Ｎ個の場所（複数可）で発生するイベント（複数可）及びイベント（複数可）の発生時間（複数可）を含み、Ｎは１以上の整数である。
【００８６】
方法２で、クライアント端末装置は、サーバにイベント取得要求を送信し、イベント取得要求は、第２の場所についての情報及び検索期間についての情報を含む。サーバは、イベント取得要求に従ってイベント取得応答を送信し、イベント取得応答は、第２の場所及び検索期間についての情報に従ってサーバによって取得された、検索期間に第２の場所で発生するイベントについての情報を含む。
【００８７】
一方では、方法３で、クライアント端末装置は、第２の場所及び検索期間についての情報に従って事前設定情報を問い合わせて、検索期間に第２の場所で発生する第１の種類のイベントについての情報を入手する。他方、クライアント端末装置は、サーバにイベント取得要求を送信し、イベント取得要求は、第２の場所についての情報及び検索期間についての情報を含む。クライアント端末装置は、イベント取得要求に従ってサーバによって送信されるイベント取得応答を受信し、イベント取得応答は、第２の場所及び検索期間についての情報に従ってサーバによって取得された、検索期間に第２の場所で発生する第２の種類のイベントについての情報を含む。
【００８８】
さらに、サーバは、ユーザー嗜好情報をさらに取得し、ユーザー嗜好情報に従って、検索期間に第２の場所で発生するイベントにフィルタをかけてよい。
【００８９】
ステップ８０３：クライアント端末装置は、ユーザーインタフェースに、検索期間に第２の場所で発生するイベントについての情報を表示する。
【００９０】
ユーザーインタフェースは、イベントラベル表示領域及びカレンダ表示領域を含んでよい。このステップで、クライアント端末装置は、ユーザーインタフェースのイベントラベル表示領域に、検索期間に第２の場所で発生するイベントのテーマをラベルとともに表示してよく、１つのイベントラベルは１つ以上のイベントに対応する。検索期間に関係するカレンダは、ユーザーインタフェースのカレンダ表示領域に表示される。
【００９１】
さらに、ステップ８０３の後、クライアント端末装置は、ユーザーインタフェースのイベントラベル表示領域でユーザーの入力動作を受け取って選択したイベントラベルを入手し、選択したイベントラベルに従って、ユーザーインタフェースのカレンダ表示領域の対応するイベントの発生時間と関連付けられたカレンダを表示し、カレンダ上で対応するイベントの発生日をプロンプトで出してよい、または対応するイベントの発生日に従ってカレンダ上で推薦された旅行日を表示してよい。
【００９２】
さらに、ユーザーインタフェースのイベント表示領域は、さらにイベント記述情報表示領域を含む。それに応じて、選択したイベントラベルを入手した後、クライアント端末装置は、選択したイベントラベルに従ってイベント記述情報表示領域に対応するイベントの記述情報をさらに表示してよい。
【００９３】
ステップ８０４：クライアント端末装置は、ユーザーインタフェースに基づいて提出された第２の検索要求を受信し、第２の検索要求は、（例えば、出発日等の）第１のときについての情報を含む。
【００９４】
ステップ８０５：クライアント端末装置は、第１の場所についての情報、第２の場所についての情報、及び第１のときについての情報に従って（例えば、出発日に出発場所から旅行目的地まで旅行するためのチケット情報等の）関連付けられたオブジェクト情報を取得する。
【００９５】
このステップで、クライアント端末装置は、サーバにオブジェクト情報を取得するための検索要求を送信してよく、第２の検索要求は、第１の場所についての情報、第２の場所についての情報、及び第１のときについての情報を含む。サーバは、第１の場所についての情報、第２の場所についての情報、及び第１のときについての情報に従って関連付けられたオブジェクト情報の問い合わせを行い、クライアント端末装置に検索要求を返してよく、検索応答は、見つけられたオブジェクト情報を含む。
【００９６】
ステップ８０６：クライアント端末装置は、取得したオブジェクト情報を表示する。
【００９７】
上記説明から、本願の上述の例の実施形態で、クライアント端末装置が、受信した第１の検索要求に従って第１の場所、第２の場所、及び検索期間を決定し、第２の場所及び検索期間についての情報に従って第２の検索期間に第２の場所で発生するイベントを取得し、ユーザーインタフェースにイベントを表示してよいことがわかる。クライアント端末装置は、第１のときを含み、ユーザーインタフェースに基づいて提出された第２の検索要求をさらに受信し、第１の場所についての情報、第２の場所についての情報、及び第１のときについての情報に従って関連付けられたオブジェクト情報を取得し、関連付けられたオブジェクト情報を表示してよい。上述の例の実施形態では、クライアント端末装置は、第２の場所及び検索期間に従って、検索期間に第２の場所で発生するイベントを取得し、ユーザーのためにユーザーインタフェースにイベントを表示してよく、これによりユーザーはイベントに基づいて第１のときを決定する。従って、情報は、例えば、場所、時間、及びイベント等の複数の視点に基づいて提供される。
【００９８】
同じ技術的概念に基づいて、本願の例の実施形態はクライアント端末装置をさらに提供する。
【００９９】
図９を参照すると、本願の例の実施形態に係るクライアント端末装置の概略構造図が示される。装置は、上述の例の実施形態で提供された情報提供プロセスを実装してよい。図面に示すように、クライアント端末装置は、第１の取得モジュール９０１、第２の取得モジュール９０２、及び表示モジュール９０３を含んでよく、チケットクエリーモジュール９０４をさらに含んでよい。
【０１００】
第１の取得モジュール９０１は、旅行目的地を入手し、検索期間を決定するように構成される。
【０１０１】
第２の取得モジュール９０２は、旅行目的地及び検索期間に従って、検索期間に旅行目的地で発生するイベントを取得するように構成される。
【０１０２】
表示モジュール９０３は、第１のユーザーインタフェースを表示するように構成され、第１のユーザーインタフェースはイベント表示領域及びカレンダ表示領域を含み、イベントについての情報は、第１のユーザーインタフェースのイベント表示領域に表示され、検索期間に関係するカレンダは、第１のユーザーインタフェースのカレンダ表示領域に表示される。
【０１０３】
任意選択で、第２の取得モジュール９０２は、旅行目的地及び検索期間に従って事前設定情報を問い合わせて、検索期間に旅行目的地で発生するイベントについての情報を入手するように構成されてよく、事前設定情報は、Ｎ個の場所（複数可）で発生するイベント（複数可）及びイベント（複数可）の発生時間（複数可）を含み、Ｎは１以上の整数である。
【０１０４】
任意選択で、第２の取得モジュール９０２は、旅行目的地についての情報及び検索期間についての情報を含むイベント取得要求をサーバに送信し、イベント取得要求に従ってサーバによって送信されるイベント取得応答であって、旅行目的地及び検索期間に従ってサーバによって取得された、検索期間に旅行目的地で発生するイベントについての情報を含むイベント取得応答を受信するように構成されてよい。
【０１０５】
任意選択で、第２の取得モジュール９０２は、検索期間に旅行目的地で発生する第１の種類のイベント（複数可）についての情報を入手するために、Ｎ個の旅行目的地（複数可）で発生する第１の種類のイベント（複数可）及び第１の種類のイベント（複数可）の発生時間（複数可）を含み、Ｎは１以上の整数である事前設定情報に、旅行目的地及び検索期間に従って問い合わせし、旅行目的地についての情報及び検索期間についての情報を含むイベント取得要求をサーバに送信し、イベント取得要求に従ってサーバによって送信されるイベント取得応答であって、旅行目的地及び検索期間に従ってサーバによって取得された、検索期間に旅行目的地で発生する第２の種類のイベント（複数可）についての情報を含むイベント取得応答を受信し、第１の種類のイベント（複数可）についての情報及び第２の種類のイベント（複数可）についての情報に従って、検索期間に旅行目的地で発生するイベントについての情報を入手するように構成されてよい。
【０１０６】
任意選択で、第２の取得モジュールは、ユーザー嗜好情報を取得し、ユーザー嗜好情報に従って検索期間に旅行目的地で発生するイベントにフィルタをかけるようにさらに構成されてよい。それに応じて、第１のユーザーインタフェースを表示するとき、表示モジュール９０３は、第１のユーザーインタフェースのイベント表示領域にフィルタにかけられたイベントについての情報を表示するようにさらに構成されてよい。
【０１０７】
任意選択で、第１のユーザーインタフェースのイベント表示領域は、検索期間に旅行目的地で発生するイベントのテーマをラベルとともに表示するためのイベントラベル表示領域を含み、１つのイベントラベルは１つ以上のイベントに対応する。それに応じて、表示モジュール９０３は、選択したイベントラベルを入手するために第１のユーザーインタフェースのイベントラベル表示領域で入力動作を受け取り、選択したイベントラベルに従って、第１のユーザーインタフェースのカレンダ表示領域に対応するイベントの発生時間と関連付けられたカレンダを表示し、カレンダ上に対応するイベントの発生日をプロンプトで出す、または対応するイベントの発生日に従ってカレンダ上に推薦された旅行日を表示するようにさらに構成されてよい。
【０１０８】
任意選択で、チケットクエリーモジュール９０４は、出発日を入手するためにカレンダ表示領域で入力動作を受け取り、出発場所、旅行目的地、及び出発日に従って出発日に出発場所から旅行目的地に旅行するためのチケット情報を入手するように構成される。それに応じて、表示モジュール９０３は、チケット情報を表示するようにさらに構成されてよい。
【０１０９】
同じ技術的概念に基づいて、本願の例の実施形態はサーバをさらに提供する。
【０１１０】
図１０を参照すると、本願の例の実施形態に係るサーバの概略構造図が示される。サーバは上記の例の実施形態で説明する情報提供プロセスを実装してよい。図１０に示すように、サーバは、受信モジュール１００１、イベントクエリーモジュール１００２、及び送信モジュール１００３を含んでよく、チケットクエリーモジュール１００４をさらに含んでよい。
【０１１１】
受信モジュール１００１は、イベント取得要求を受信するように構成され、イベント取得要求は、旅行目的地についての情報及び検索期間についての情報を含む。
【０１１２】
イベントクエリーモジュール１００２は、旅行目的地及び検索期間に従って、検索期間に旅行目的地で発生するイベントについての情報の問い合わせを行うように構成される。
【０１１３】
送信モジュール１００３は、イベント取得応答を送信するように構成され、イベント取得応答は、検索期間に旅行目的地で発生するイベントについての情報を含む。
【０１１４】
任意選択で、イベントクエリーモジュール１００２は、ユーザー嗜好情報を取得し、ユーザー嗜好情報に従って、検索期間に旅行目的地で発生するイベントにフィルタをかけるようにさらに構成される。
【０１１５】
任意選択で、受信モジュール１００１は、チケット情報クエリー要求を受信するようにさらに構成され、チケット情報クエリー要求は、出発場所、旅行目的地、及び出発日を含む。チケットクエリーモジュール１００４は、出発場所、旅行目的地、及び出発日に従って、出発日に出発場所から旅行目的地に旅行するためのチケット情報の問い合わせを行うように構成される。送信モジュール１００３は、チケット情報クエリー応答を送信するようにさらに構成され、チケット情報クエリー応答は、見つけられたチケット情報を含む。
【０１１６】
同じ技術的概念に基づいて、本願の例の実施形態はクライアント端末装置をさらに提供する。
【０１１７】
図１１を参照すると、本願の例の実施形態に係るクライアント端末装置の概略構造図が示される。クライアント端末装置は、上記の例の実施形態で説明する普遍的な情報提供プロセスを実装してよい。図面に示すように、クライアント端末装置は、第１の取得モジュール１１０１、第２の取得モジュール１１０２、表示モジュール１１０３を含んでよく、第３の取得モジュール１００４をさらに含んでよい。
【０１１８】
第１の取得モジュール１１０１は、第１の検索要求を受信し、検索期間を決定するように構成され、第１の検索要求は、第１の場所についての情報及び第２の場所についての情報を含む。
【０１１９】
第２の取得モジュール１１０２は、第２の場所及び検索期間についての情報に従って、検索期間に第２の場所で発生するイベントを取得するように構成される。
【０１２０】
表示モジュール１１０３は、ユーザーインタフェースに、検索期間に第２の場所で発生するイベントについての情報を表示するように構成される。
【０１２１】
第３の取得モジュール１１０４は、ユーザーインタフェースに基づいて提出された第２の検索要求であって、第１のときについての情報を含む第２の検索要求を受信し、第１の場所についての情報、第２の場所についての情報、及び第１のときについての情報に従って関連付けられたオブジェクト情報を取得するように構成される。
【０１２２】
表示モジュール１１０３は、取得したオブジェクト情報を表示するようにさらに構成される。
【０１２３】
任意選択で、第２の取得モジュール１１０２は、検索期間に第２の場所で発生するイベントについての情報を入手するために、第２の場所及び検索期間についての情報に従って、事前設定情報を問い合わせるように構成され、事前設定情報は、Ｎ個の場所（複数可）で発生するイベント（複数可）及びイベント（複数可）の発生時間（複数可）を含み、Ｎは１以上の整数である。
【０１２４】
別の例では、第２の取得モジュール１１０２は、サーバに、第２の場所についての情報及び検索期間についての情報を含むイベント取得要求を送信し、イベント取得要求に従ってサーバによって送信されるイベント取得応答であって、第２の場所及び検索期間についての情報に従ってサーバによって取得された、検索期間に第２の場所で発生するイベントについての情報を含むイベント取得応答を受信するように構成される。
【０１２５】
別の例では、第２の取得モジュール１１０２は、検索期間に第２の場所で発生する第１の種類のイベント（複数可）についての情報を入手するために、Ｎ個の場所（複数可）で発生する第１の種類のイベント（複数可）及び第１の種類のイベント（複数可）の発生時間（複数可）を含み、Ｎが１以上の整数である事前設定情報に、第２の場所及び検索期間についての情報に従って問い合わせし、第２の場所についての情報及び検索期間についての情報を含むイベント取得要求をサーバに送信し、イベント取得要求に従ってサーバによって送信されるイベント取得応答であって、第２の場所及び検索期間についての情報に従ってサーバによって取得された、検索期間に第２の場所で発生する第２の種類のイベント（複数可）についての情報を含むイベント取得応答を受信し、第１の種類のイベント（複数可）についての情報及び第２の種類のイベント（複数可）についての情報に従って、検索期間に第２の場所で発生するイベントについての情報を入手するように構成される。
【０１２６】
任意選択で、ユーザーインタフェースのイベント表示領域は、イベントラベル表示領域及びカレンダ表示領域を含む。それに応じて、表示モジュール１１０３は、ユーザーインタフェースのイベントラベル表示領域に、検索期間に第２の場所で発生するイベントのテーマをラベルとともに表示し、ここで１つのイベントラベルは１つ以上のイベントに対応し、ユーザーインタフェースのカレンダ表示領域に検索期間に関係するカレンダを表示するように構成される。
【０１２７】
任意選択で、表示モジュール１１０３は、選択したイベントラベルを入手するためにユーザーインタフェースのイベントラベル表示領域で入力動作を受け取り、選択したイベントラベルに従って、第１のユーザーインタフェースのカレンダ表示領域の対応するイベントの発生時間と関連付けられたカレンダを表示し、カレンダ上に対応するイベントの発生日をプロンプトで出す、または対応するイベントの発生日に従ってカレンダ上に推薦される旅行日を表示するようにさらに構成される。
【０１２８】
同じ技術的概念に基づいて、本願の例の実施形態はサーバをさらに提供する。
【０１２９】
図１２を参照すると、本願の例の実施形態に係るサーバの概略構造図が示される。サーバは、上述の例の実施形態で説明する普遍的な情報提供プロセスを実装してよい。図面に示すように、サーバは、受信モジュール１２０１、第１のクエリーモジュール１２０２、及び送信モジュール１２０３を含んでよく、第２のクエリーモジュール１２０４をさらに含んでよい。
【０１３０】
受信モジュール１２０１は、第１の検索要求を受信するように構成され、第１の検索要求は、第２の場所についての情報及び検索期間についての情報を含む。
【０１３１】
第１のクエリーモジュール１２０２は、第２の場所及び検索期間についての情報に従って、検索期間に第２の場所で発生するイベントについての情報を問い合わせするように構成される。
【０１３２】
送信モジュール１２０３は、第１の検索応答を送信するように構成され、第１の検索応答は、検索期間に第２の場所で発生するイベントについての情報を含む。
【０１３３】
任意選択で、第１のクエリーモジュール１２０２は、検索期間に第２の場所で発生するイベントについての情報の問い合わせを行った後にユーザー嗜好情報を取得し、ユーザー嗜好情報に従って、検索期間に第２の場所で発生するイベントにフィルタをかけるようにさらに構成される。
【０１３４】
任意選択で、受信モジュール１２０１は、第１の検索応答が送信された後、第２の検索要求を受信するようにさらに構成され、第２の検索要求は、第１の場所についての情報、第２の場所についての情報、及び第１のときについての情報を含む。第２のクエリーモジュール１２０４は、第１の場所についての情報、第２の場所についての情報、及び第１のときについての情報に従って、関連オブジェクト情報の問い合わせを行うように構成される。送信モジュール１２０３は、第２の検索応答を送信するようにさらに構成され、第２の検索応答は、見つけられたオブジェクト情報を含む。
【０１３５】
同じ技術的概念に基づいて、本願の例の実施形態はクライアント端末装置をさらに提供する。
【０１３６】
図１３を参照すると、本願の例の実施形態に係るクライアント端末装置の概略構造図が示される。クライアント端末装置は、上述の例の実施形態で説明する情報提供プロセスを実装してよい。図面に示すように、クライアント端末装置は、プロセッサ１３０１、メモリ１３０２、及びディスプレイ１３０３を含んでよい。
【０１３７】
プロセッサ１３０１は、汎用プロセッサ（例えば、マイクロプロセッサまたは任意の従来のプロセッサ）、デジタルシグナルプロセッサ、特定用途向け集積回路、フィールドプログラマブルゲートアレイ、または別のプログラム可能論理デバイス、離散ゲート、またはトランジスタ論理デバイス、または離散ハードウェア構成要素であってよい。メモリ１３０２は、具体的には、例えば、ランダムアクセスメモリ、フラッシュメモリ、読み出し専用メモリ、プログラマブル読み出し専用メモリ、電気的消去可能プログラマブルメモリ、レジスタ等の当技術分野で成熟した記憶媒体の内部メモリ及び／または外部メモリを含んでよい。ディスプレイ１３０３は、ユーザーインタフェースを表示する機能を有する。
【０１３８】
プロセッサ１３０１は、他のモジュールとデータ通信接続している。例えば、データ通信は、バスアーキテクチャに基づいて実行されてよい。バスアーキテクチャは、任意の数の相互接続されたバス及びブリッジを含んでよく、具体的にはプロセッサ１３０１によって表される１つ以上のプロセッサ及びメモリ１３０２によって表されるメモリのさまざまな回路が接続されてよい。バスアーキテクチャはさらに、例えば周辺装置、電圧調整器、電力管理回路等の他のさまざまな回路を互いに接続してよい。これらは全て当技術分野で周知であり、従って本明細書ではさらなる説明はしない。バスインタフェースは、インタフェースを提供する。プロセッサ１３０１は、バスアーキテクチャ及び一般的な処理を管理する役割を果たす。メモリ１３０２は、動作実行時、プロセッサ１３０１によって使用されるデータを記憶してよい。
【０１３９】
本願の例の実施形態に開示されるプロセスは、プロセッサ１３０１で適用される、またはプロセッサ１３０１によって実装されてよい。実装プロセスでは、上述の例の実施形態で説明するプロセスのステップは、プロセッサ１３０１内のハードウェア集積論理回路またはソフトウェア命令によって完了されてよい。本願の例の実施形態に開示される方法、ステップ、及び論理ブロック図は、実装または実行されてよい。本願の例の実施形態と組み合わせて開示される方法のステップは、ハードウェアプロセッサによってまたはプロセッサ内のハードウェア及びソフトウェアモジュールの組合せによって実行中であるとして直接的に具体化されてよい。ソフトウェアモジュールは、例えば、ランダムアクセスメモリ、フラッシュメモリ、読み出し専用メモリ、プログラマブル読み出し専用メモリ、電気的消去可能プログラマブルメモリ、レジスタ等の当技術分野で成熟した記憶媒体に位置してよい。
【０１４０】
具体的には、プロセッサ１３０１は、メモリ１３０２に結合され、メモリ１３０２に記憶されるコンピュータ可読命令を読み取り、それに応じて以下の
ディスプレイによって、旅行目的地入力領域を含む第１のユーザーインタフェースを表示する動作と、
第１のユーザーインタフェースの旅行目的地入力領域で入力動作に従って旅行目的地を入手し、検索期間を決定する動作と、
旅行目的地及び検索期間に従って、検索期間に旅行目的地で発生するイベントを取得する動作と、
ディスプレイによって、イベント表示領域及びカレンダ表示領域を含む第２のユーザーインタフェースを表示する動作であって、イベントについての情報が第２のユーザーインタフェースのイベント表示領域に表示され、検索期間に関係するカレンダが第１のユーザーインタフェースのカレンダ表示領域に表示される、表示する動作と
を実行するように構成される。
【０１４１】
上述の手順の具体的な実装プロセスについて、上述の例の実施形態の説明を参照することができるが、ここでは繰り返さない。
【０１４２】
同じ技術的概念に基づいて、本願の例の実施形態は、クライアント端末装置をさらに提供する。
【０１４３】
図１４を参照すると、本願の例の実施形態に係るクライアント端末装置の概略構造図が示される。クライアント端末装置は、上述の例の実施形態で説明する普遍的な情報提供プロセスを実装してよい。図面に示すように、クライアント端末装置は、プロセッサ１４０１、メモリ１４０２、及びディスプレイ１４０３を含んでよい。
【０１４４】
プロセッサ１４０１は、汎用プロセッサ（例えば、マイクロプロセッサまたは任意の従来のプロセッサ）、デジタルシグナルプロセッサ、特定用途向け集積回路、フィールドプログラマブルゲートアレイ、または別のプログラム可能論理デバイス、離散ゲート、またはトランジスタ論理デバイス、または離散ハードウェア構成要素であってよい。メモリ１４０２は、具体的には、例えば、ランダムアクセスメモリ、フラッシュメモリ、読み出し専用メモリ、プログラマブル読み出し専用メモリ、電気的消去可能プログラマブルメモリ、レジスタ等の当技術分野で成熟した記憶媒体の内部メモリ及び／または外部メモリを含んでよい。ディスプレイ１４０３は、ユーザーインタフェースを表示する機能を有する。
【０１４５】
プロセッサ１４０１は、他のモジュールとデータ通信接続している。例えば、データ通信は、バスアーキテクチャに基づいて実行されてよい。バスアーキテクチャは、任意の数の相互接続されたバス及びブリッジを含んでよく、具体的にはプロセッサ１４０１によって表される１つ以上のプロセッサ及びメモリ１４０２によって表されるメモリのさまざまな回路が接続されてよい。バスアーキテクチャはさらに、例えば周辺装置、電圧調整器、電力管理回路等の他のさまざまな回路を互いに接続してよい。これらは全て当技術分野で周知であり、従って本明細書ではさらなる説明はしない。バスインタフェースは、インタフェースを提供する。プロセッサ１４０１は、バスアーキテクチャ及び一般的な処理を管理する役割を果たす。メモリ１４０２は、動作実行時、プロセッサ１４０１によって使用されるデータを記憶してよい。
【０１４６】
本願の例の実施形態に開示するプロセスは、プロセッサ１４０１で適用される、またはプロセッサ１４０１によって実装されてよい。実装プロセスでは、上述の例の実施形態で説明するプロセスのステップは、プロセッサ１４０１内のハードウェア集積論理回路またはソフトウェア命令によって完了されてよい。本願の例の実施形態に開示される方法、ステップ、及び論理ブロック図が、実装または実行されてよい。本願の例の実施形態と組み合わせて開示される方法のステップは、ハードウェアプロセッサによってまたはプロセッサ内のハードウェア及びソフトウェアモジュールの組合せによって実行中であるとして直接的に具体化されてよい。ソフトウェアモジュールは、例えば、ランダムアクセスメモリ、フラッシュメモリ、読み出し専用メモリ、プログラマブル読み出し専用メモリ、電気的消去可能プログラマブルメモリ、レジスタ等の当技術分野で成熟した記憶媒体の技術で成熟した記憶媒体に位置してよい。
【０１４７】
具体的には、プロセッサ１４０１は、メモリ１４０２に結合され、メモリ１４０２に記憶されたコンピュータ可読命令を読み取り、それに応じて以下の
第１の場所についての情報及び第２の場所についての情報を含む第１の検索要求を受信し、検索期間を決定する動作と、
第２の場所及び検索期間についての情報に従って、検索期間に第２の場所で発生するイベントを取得する動作と、
検索期間に第２の場所で発生するイベントについての情報を、ディスプレイによってユーザーインタフェースに表示する動作と
を実行するように構成される。
【０１４８】
プロセッサは、ユーザーインタフェースに基づいて提出された第２の検索要求であって、第１のときについての情報を含む第２の検索要求を受信し、第１の場所についての情報、第２の場所についての情報、及び第１のときについての情報に従って関連付けられたオブジェクト情報を取得し、ディスプレイによって取得したオブジェクト情報を表示するようにさらに構成される。
【０１４９】
上述の手順の具体的な実装プロセスについて、上記の例の実施形態の説明を参照することができるが、ここでは繰り返さない。
【０１５０】
上記の例の実施形態についての説明に基づいて、当業者は、本発明の例の実施形態が、ハードウェアによって、または必要な普遍的なハードウェアプラットフォームを加えたソフトウェアによって実装されてよいことを明確に理解してよい。係る理解に基づいて、本発明の例の実施形態の技術的解決策は、ソフトウェア製品によって実装されてよい。ソフトウェア製品は、（ＣＤ−ＲＯＭ、ＵＳＢフラッシュディスク、モバイルハードディスク等であってよい）不揮発性記憶媒体に記憶されてよく、（パーソナルコンピュータ、サーバ、ネットワーク装置等であってよい）コンピュータデバイスが、本発明の例の実施形態で方法を実行できるようにするための複数の命令を含む。
【０１５１】
当業者は、添付図面が好ましい例の実施形態の概略図にすぎず、図面のモジュールまたは手順が必ずしも本発明を実施するために必須ではないことを理解してよい。
【０１５２】
当業者は、例の実施形態の端末内のモジュールが、例の実施形態の説明に従って例の実施形態の端末で分散されてよい、または代わりに本例の実施形態の端末とは異なる１つ以上の端末に位置してよいことを理解してよい。例の実施形態のモジュールは、１つのモジュールに結合されてよい、または複数のサブモジュールにさらに分割されてよい。
【０１５３】
本発明の上記の例の実施形態の連続番号は、例の実施形態の間の優先を示唆するものではない。
【０１５４】
明らかに、当業者は、本発明の趣旨及び範囲から逸脱することなく、本発明に対してさまざまな修正及び変形を加えてよい。従って、本発明は、本発明の修正及び変形が、本発明の特許請求の範囲及びその同等な技術の範囲に入る場合、修正形態及び変形形態を網羅することを意図する。
【図１】
2019537131.tif 000003
【図２】
2019537131.tif 000004
【図３】
2019537131.tif 000005
【図４】
2019537131.tif 000006
【図５】
2019537131.tif 000007
【図６】
2019537131.tif 000008
【図７】
2019537131.tif 000009
【図８】
2019537131.tif 000010
【図９】
2019537131.tif 000011
【図１０】
2019537131.tif 000012
【図１１】
2019537131.tif 000013
【図１２】
2019537131.tif 000014
【図１３】
2019537131.tif 000015
【図１４】
2019537131.tif 000016
【手続補正書】
【提出日】令和1年5月7日(2019.5.7)
【手続補正１】
【補正対象書類名】明細書
【補正対象項目名】００３５
【補正方法】変更
【補正の内容】
【００３５】
図２に示すように、ユーザーインタフェース２００は、インタフェーステーマ表示領域２０１、旅行場所入力領域２０２、旅行時間入力領域２０３、及び検索命令領域２０４を含んでよい。「航空券検索」は、ユーザーインタフェースのテーマ名としてインタフェーステーマ表示領域２０１に表示される。旅行場所入力領域２０２は、出発場所のための入力領域及び到着場所のための入力領域を提供する。旅行場所入力領域２０２は、ユーザーが旅行場所を入力できるようにする入力フィールド制御によって実装されてよく、または旅行場所入力領域２０２は、例えばユーザーが出発場所のための入力領域をクリックするときに提示されるポップアップ都市選択インタフェース等の別の制御によって実装されてもよく、これはユーザーが出発場所としてプログラム選択インタフェースで都市を選択できるようにする。旅行時間入力領域２０３は、ユーザーが出発時刻を入力できるようにする入力フィールド制御によって実装されてよく、または旅行時間入力領域２０３は、例えばユーザーが出発時刻入力領域をクリックするとき提示されるポップアップカレンダ等の別の制御によって実装されてよく、これはユーザーがカレンダで出発時刻を選択できるようにする。検索命令領域２０４は、ボタン制御またはリンクによって実装されてよい。ユーザーがクエリー命令を選択すると、旅行場所及び旅行時間についての情報を含んだイベントクエリー要求が生成される。
【手続補正２】
【補正対象書類名】明細書
【補正対象項目名】００７２
【補正方法】変更
【補正の内容】
【００７２】
さらに、ステップ５０４またはステップ６０２の後、ユーザーは、ユーザーインタフェース３００に表示される情報に基づいて（出発日を含んだ、または出発日及び帰国日を含んだ）具体的な旅行日を選択してよく、これにより対応する日付のチケット情報は、旅行日に基づいて問い合わせることによって見つけられ、次いで表示される。図７に示すように、プロセスは、以下のステップを含んでよい。
【国際調査報告】
2019537131.tif 000017
2019537131.tif 000018
2019537131.tif 000019
2019537131.tif 000020